(57)【要約】【課題】セパレート型居室用エアコンディショナーを脱衣室に使う場合は、屋外に室外機を設置するスペースが必要である。また、冷凍サイクルを使い圧縮機、蒸発器、凝縮器などを内蔵し一体化した除湿乾燥ユニットでは、ユニットは大型化し圧縮機による振動も大きい上、冷房はできなかった。【解決手段】浴室に隣接する脱衣室の壁又は天井に脱衣室空調機を設置し、熱移動にペルチェモジュールを用いることで、脱衣室に冷風を吹出し、浴室に温風を出すコンパクトで振動の少ない空調機を実現できる。この構成によれば、圧縮機を用いた冷凍サイクルに比べ冷房能力は劣るが、脱衣室では３ｍ２程度の広さしかないため、冷房効果は十分得られる。【選択図】　図１
2004116948.tif 000002
【特許請求の範囲】
【請求項１】
浴室に隣接する脱衣室の壁又は天井に設置する脱衣室空調機において、脱衣室の空気を吸い込んで冷却する吸熱ヒートシンクと浴室の空気を吸い込んで加熱する加熱ヒートシンクの両方を備え、脱衣室へ冷風を吹出し、浴室へ温風を出す構成としたことを特徴とする脱衣室空調機。
【請求項２】
前記吸熱ヒートシンクと前記加熱ヒートシンクがそれぞれ吸熱面と放熱面に接合した熱電変換半導体素子からなるペルチェモジュールであることを特徴とする請求項１記載の脱衣室空調機。
【請求項３】
前記脱衣室空調機の送風機を１個のモータと２個の送風ファンで構成し、一方の送風ファンで冷風を送風し、他方の送風ファンで温風を送風することを特徴とする請求項１乃至請求項２記載の脱衣室空調機。
【請求項４】
前記脱衣室空調機において、浴室の空気を吸い込む吸気ダクトを浴室天井に設置された浴室換気扇又は浴室換気乾燥機に接続し、浴室への温風吹出し口を浴室の天井又は壁に開口したことを特徴とする請求項２記載の脱衣室空調機。
【請求項５】
前記吸熱ヒートシンクで結露した水を受ける受け皿と溜まった結露水を浴室の排水管又は排水溝へ案内する結露水案内部を備えたことを特徴とする請求項１乃至請求項４記載の脱衣室空調機。
【請求項６】
前記脱衣室空調機は遠隔操作部を有し、遠隔操作部の脱衣室冷房運転スイッチをオンすると、同時もしくは遅れて、浴室天井に設置された浴室換気扇又は浴室換気乾燥機が換気運転を開始することを特徴とする請求項４乃至請求項５記載の脱衣室空調機。
【請求項７】
前記脱衣室空調機は、脱衣室と浴室の間の扉の上方の脱衣室小壁に設置したことを特徴とする請求項１乃至請求項６記載の脱衣室空調機。
【発明の詳細な説明】
【０００１】
【発明の属する技術分野】
本発明は、浴室に隣接する脱衣室の壁や天井に設置して、脱衣室の冷房などを行う脱衣室空調機に関する。
【０００２】
【従来の技術】
従来、脱衣室を空調する場合、脱衣室の壁に室内機を設置し屋外に室外機を設置したセパレート型居室用エアコンディショナーを使うことがあった。また、浴室と脱衣室の２室を除湿または暖房などの空調ができる空調機も提案されている（例えば、特許文献１参照。）。また、浴室の天井に冷凍サイクルを搭載し暖房および換気および除湿機能を有する埋込形の除湿乾燥ユニットを設置し、脱衣室の天井にヒータによる暖房機能や送風機能を有する埋込形の空調ユニットが設置され、操作パネルからの操作に応じて、除湿、衣類乾燥、換気、ヘアドライ、ボディドライの各運転制御が行われる。
【０００３】
【特許文献１】
特許第３１２８２６５号公報。
【０００４】
【発明が解決しようとする課題】
しかしながら、セパレート型居室用エアコンディショナーを使う場合では、暖房、冷房、除湿などの運転は可能であるが、屋外に室外機を設置する必要があり、マンションなどで設置スペースが確保できないところでは、設置が難しかった。更に、ベランダに室外機を設置する場合、脱衣室から離れているため冷媒配管工事に時間がかかった。
【０００５】
特許第３１２８２６５号の実施例では、浴室の除湿乾燥ユニットは冷凍サイクル用の圧縮機、蒸発器、凝縮器などを内蔵し一体化されているため室外機は存在しないが、ユニットは大型化し圧縮機による振動も大きい。また、冷房はできず、暖房もヒータに頼っている。脱衣室の空調ユニットでも、ヒーターと送風ファンで構成されているため、冷房はできない。
【０００６】
本発明は、上記課題を解決するためになされたもので、その目的は、マンション及び一戸建てを問わず設置ができて、脱衣室の冷房までできる空調機を提供することにある。
【０００７】
【課題を解決するための手段及びその作用・効果】
本発明は、浴室に隣接する脱衣室の壁又は天井に設置し、脱衣室の空気を吸い込んで冷却する吸熱ヒートシンクと浴室の空気を吸い込んで加熱する加熱ヒートシンクの両方を備え、脱衣室へ冷風を吹出し、浴室へ温風を吹出す構成としたものである。
【０００８】
脱衣室の空気から吸熱した熱を浴室側へ放熱するための熱移動を熱電変換半導体素子からなるペルチェモジュールを用いることでコンパクトで振動の少ない空調機を実現できる。この構成によれば、圧縮機を用いた冷凍サイクルに比べ冷房能力は劣るが、脱衣室は３ｍ２程度の広さしかないため、冷房効果は十分得られる。
【０００９】
脱衣室を冷房運転する場合には、浴室側に温風を吹き出させることになるが、温風の吹き出す方向を、人に当らない方向へ向ければ、万が一浴室に人が居たとしても支障は無い。また、濡れた身体に温風が当ったとしても健康に害を及ぼすような問題にはならない。
【００１０】
また、同時に、浴室の天井に設置された浴室換気扇又は浴室換気乾燥機を換気運転すれば、浴室内が高温になることを防止することができる。遠隔操作部の脱衣室冷房運転スイッチをオンした場合に、同時もしくは遅れて、浴室天井に設置された浴室換気扇又は浴室換気乾燥機が換気運転を開始するようにしている。
【００１１】
吸熱ヒートシンクで結露した水は受け皿から、浴室の壁裏に配設された結露水案内部を通って、浴室の排水管又は排水溝へ排水すれば、結露水案内部を室内に露出させること無く結露水処理ができ、見栄えを損なうことが無い。また、タンクを備えていないため、定期的に溜まった水を捨てるなどのメンテナンス作業を省くことができる。
【００１２】
【発明の実施の形態】
以下に、本発明の実施の形態を添付図面によって詳細に説明する。図１は、本発明の一実施形態に係る脱衣室空調機の設置例を示す全体構成図である。図２は、本発明の一実施形態に係る遠隔操作部の構成図。図３、図４、図５、図６は、浴室天井に除湿乾燥ユニットを設置し、脱衣室に空調ユニットを設置した形態の従来例である。
【００１３】
図１は、本発明である脱衣室空調機６を洗面所１の小壁３に設置した実施例である。脱衣室空調機６は浴室扉４の上方の小壁３に設置し、浴室２の天井５には浴室換気乾燥機１７が設置されている。浴室換気乾燥機１７から脱衣室空調機６へ向けて吸込ダクト１６が天井裏で配管されている。浴室換気乾燥機１７から屋外へ向けて排気ダクト１８が配管されている。
【００１４】
脱衣室空調機６は、モータ１０の両軸に脱衣室側送風ファン１１及び浴室側送風ファン１２を取り付けた送風機と、吸熱面７ａに吸熱ヒートシンク８を接合し放熱面７ｂに放熱ヒートシンク９を接合したペルチェモジュール７と、それぞれの風路と、脱衣室吹出部１４と、浴室吹出部１５などから構成されている。なお、送風機は、脱衣室側と浴室側でそれぞれ独立して構成することもできる。
【００１５】
ペルチェモジュール７に制御部（図示せず）から出力された電圧をかけると、吸熱面７ａから放熱面７ｂへ熱が移動する。それぞれに接合された吸熱ヒートシンク８及び放熱ヒートシンク９に送風ファン１１および１２からの風を通過させることで熱交換が行われ、脱衣室吹出部１４から冷風が吹出し、浴室吹出部１５から温風が吹出される。モータ１０の回転数を可変にすれば、冷房能力を変更することもできる。
【００１６】
浴室２の空気を吸込むために、浴室の天井５に設置した浴室換気乾燥機１７の吸込接続口から吸込ダクト１６を通して行うため、天井５に新たな開口は不要である。浴室換気乾燥機１７はヒータなどの加熱部と送風機で構成されているが、脱衣所の冷房を行う場合に、浴室が暖房されて温度が上がり過ぎないように、浴室換気乾燥機１７の送風機で換気運転できる。遠隔操作部２０は、脱衣室空調機６に対し有線もしくは無線で指令を出し、脱衣室空調機６及び浴室換気乾燥機１７の各モード運転を行う。
【００１７】
吸熱ヒートシンク８では、冷却された空気から結露した結露水が付着し滴下するため、受け皿で受け浴室の壁裏に配設された結露水案内部１９を通して、浴室の排水管又は排水溝へ常時排水できるように構成している。
【００１８】
図２は、脱衣室と浴室をともに空調運転操作できる遠隔操作部の実施例である。脱衣室の空調運転用としては、冷房スイッチ２０ｂ、暖房スイッチ２０ｃ、ドライヤースイッチ２０ｄを備えており、それぞれに、ＬＥＤ表示２０ｆが付いている。表示部２０ａは液晶などで構成し運転タイマーなどの状態を表示する。浴室の空調運転用としては、送風スイッチ２０ｈ、暖房スイッチ２０ｉ、乾燥スイッチ２０ｊ、換気スイッチ２０ｋを備えている。
【００１９】
図３は従来例の全体構成図である。脱衣室の天井に空調ユニット２２を設置し、浴室の天井に除湿乾燥ユニット２１を設置し、連結ダクト２３で浴室と脱衣室の間の空気の出入りを行い、２室同時の除湿、乾燥、換気の運転を実現している。但し、冷房はできない。図４は従来例の操作パネルである。浴室及び脱衣室に対して、暖房運転、急暖運転、ドライヤー運転、換気運転、乾燥運転が可能となっている。
【００２０】
図５は従来例の運転パターンを示している。脱衣室のみ、浴室のみ、２室同時の３つのパターンに対して、暖房、除湿、衣類乾燥、換気ができることを示している。
【００２１】
図６は従来例の除湿乾燥ユニットの構成図である。冷媒を圧縮機２６で圧縮し、凝縮器２８へ送り、蒸発器２７で膨張させ、再び圧縮機へ戻す冷凍サイクルを構成している。浴室から吸われた空気は、まず蒸発器２７を通過し、ここで冷やされ結露し、その後、凝縮器２８で再加熱され、送風機２９で浴室に吹出す。ダンパー３１の位置を変えることにより、換気運転もできるものである。脱衣室の空調ユニットの構成については、図示しないが、送風機とヒータが内蔵されたものである。
【００２２】
上述した内容はあくまで本発明の一実施形態に関するものであって、本発明が上記内容のみに限定されることを意味されるものでない。
【図面の簡単な説明】
【図１】本発明の一実施形態に係る脱衣室空調機の設置例を示す全体構成図である。
【図２】本発明の一実施形態に係る遠隔操作部の構成図である。
【図３】従来例の全体構成図である。
【図４】従来例の操作パネルである。
【図５】従来例の運転パターンである。
【図６】従来例の除湿乾燥ユニットの構成図である。
【符号の説明】
１…脱衣室
２…浴室
３…小壁（脱衣室側）
４…浴室扉
５…浴室天井
６…脱衣室空調機
７…ペルチェモジュール
７ａ…吸熱面
７ｂ…放熱面
８…吸熱ヒートシンク
９…放熱ヒートシンク
１０…モータ
１１…脱衣室側送風ファン
１２…浴室側送風ファン
１３…ケーシング
１４…脱衣室吹出部
１５…浴室吹出部
１６…吸込ダクト
１７…浴室換気乾燥機
１８…排気ダクト
１９…結露水案内部
２０…遠隔操作部
２０ａ…表示部
２０ｂ…冷房スイッチ
２０ｃ…暖房スイッチ
２０ｄ…ドライヤースイッチ
２０ｅ…止スイッチ
２０ｆ…ＬＥＤ表示
２０ｇ…表示部
２０ｈ…送風スイッチ
２０ｉ…暖房スイッチ
２０ｊ…乾燥スイッチ
２０ｋ…換気スイッチ
２０ｍ…止スイッチ
２１…除湿乾燥ユニット
２２…空調ユニット
２３…連結ダクト
２４…排気ダクト
２５…操作パネル
２６…圧縮機
２７…蒸発器
２８…凝縮器
２９…送風機
３０…排気接続口
３１…ダンパー
【図１】
2004116948.tif 000003
【図２】
2004116948.tif 000004
【図３】
2004116948.tif 000005
【図４】
2004116948.tif 000006
【図５】
2004116948.tif 000007
【図６】
2004116948.tif 000008